(57)【要約】      （修正有）【課題】予め立体成形された複数の顔面体を複数の立体フィギュアに、それぞれ任意に選択して着脱することのできる立体成形顔面体可変着脱玩具を提供する。【解決手段】立体成形顔面体の背面に凸部を一体的に形成し、立体フィギュア３の顔面部に凹部３２を一体的に形成して、該凹部に対して該凸部を着脱自在に構成する。複数の立体成形顔面体と複数の立体フィギュアをそれぞれ任意に選択して組み合わせ、着脱自在に構成し、複数の立体成形顔面体がそれぞれ異なる表情を彩色やタンポ印刷、シルク印刷又は転写で作成する。立体成形顔面体に対して立体フィギュアを、キャラクタ、人形、動物等を模して成形することもできる。【選択図】図５
0003146475.tif 000002
【実用新案登録請求の範囲】
【請求項１】
立体成形顔面体がそれぞれ異なる表情を彩色やタンポ印刷・シルク印刷・転写等でされていることを特徴とする立体成形顔面体可変着脱玩具。
【請求項２】
立体成形顔面体の背面に凸部を一体的に形成し、立体フィギュアの顔面部に凹部を一体的に形成して、該凹部に対して該凸部を着脱自在に構成したことを特徴とする請求項１記載の立体成形顔面体可変着脱玩具。
【請求項３】
立体成形顔面体に対して立体フィギュアが、キャラクター、人形、動物等を模して成形されていることを特徴とする請求項１記載の立体成形顔面体可変着脱玩具。
【請求項４】
複数の立体成形顔面体と複数の立体フィギュアをそれぞれ任意に選択して組み合わせ、着脱自在に構成したことを特徴とする請求項１記載の立体成形顔面体可変着脱玩具。
【考案の詳細な説明】
【技術分野】
【０００１】  本考案は立体成形顔面体可変着脱玩具に関し、特に予め立体成形された複数の顔面体を複数の立体フィギュアに、それぞれ任意に選択して着脱することのできる立体成形顔面体可変着脱玩具に関する。
【背景技術】
【０００２】  従来、可変顔面玩具や立体的なプリクラ（登録商標）等が考案されており、例えば登録実用新案第３０４８１１９「人形」、特開２００５−１１０８８９「顔面可変玩具」、特開２００４−３６２５４０「人形キット販売機」等が挙げられる。【０００３】
【特許文献１】  登録実用新案第３０４８１１９号公報
【特許文献２】  特開２００５−１１０８８９号公報
【特許文献３】  特開２００４−３６２５４０号公報
【考案の開示】
【考案が解決しようとする課題】
【０００４】  引用文献１の実用新案第３０４８１１９「人形」は、細かい凹凸のないのっぺりとした曲面を呈する顔面を持つ人形本体の顔面にプリクラ（登録商標）写真を貼着するものであるが、のっぺりした顔面であって着脱することもできない問題がある。【０００５】  引用文献２の特開２００５−１１０８８９「顔面可変玩具」は、表情の異なる顔面を変えて遊ぶことのできる顔面可変玩具であるが磁石と磁性体との着脱を原理としており、磁石と磁性体との設置工程とコストがかかる問題がある。【０００６】  特開２００４−３６２５４０「人形キット販売機」は、撮像装置とコンピュータを介して購入者の顔や髪型等に近似した人形を作成して販売する複雑な構造と制御回路を必要とし、製造コストも高価で製造工程も複雑な問題点があった。【０００７】  本考案は前記せるような課題に鑑みて創案なされたものであり、極めて簡単な構造でコストも安く組立ても容易な立体成形顔面体可変着脱玩具提供することを目的とするものである。
【課題を解決するための手段】
【０００８】  本考案は、立体成形顔面体の背面に凸部を一体的に形成し、立体フィギュアの前面に凹部を一体的に形成して、該凹部に対して該凸部を着脱自在に構成したことを特徴とし、複数の立体成形顔面体と複数の立体フィギュアをそれぞれ任意に選択して組み合わせ、着脱自在に構成したことを特徴とし、複数の立体成形顔面体がそれぞれ異なる表情を彩色やタンポ印刷・シルク印刷・転写等でされていることを特徴とし、且つ、立体成形顔面体に対して立体フィギュアが、キャラクターや人形や動物等を模して成形されていることを特徴とする立体成形顔面体可変着脱玩具を提供するものである。
【考案の効果】
【０００９】  以上説明したように、本考案の立体成形顔面体可変着脱玩具によれば、表情等の異なる複数の立体成形顔面体を任意に選んで、複数の立体フィギュアも任意に選んで迅速に組み換えて容易に嵌着することができ、また、組み換えを変えて利用できるので幼児の興味をもたせることができる。
【考案を実施するための最良の形態】
【００１０】  以下、図面に示す実施例において本考案を具体的に説明する。
図面において、図１は立体成形顔面体の斜視図である。図２は図１の側面図である。
図３は立体成形顔面体の斜視図である。図４は図３の側面図である。図５は立体フィギュアの部分斜視図である。図６は立体フィギュアの部分斜視図である。図７は立体成形顔面体を立体フィギュアに嵌着した斜視図である。図８は立体成形顔面体を立体フィギュアに嵌着した斜視図である。【００１１】  実施例では、図１及び図３に代表的に示すように、立体成形顔面体１，２が形成されているが、立体成形顔面体１，２以外にも異なる表情の立体成形顔面体（図示せず）が成形されている。【００１２】  立体成形顔面体１，２の背面には側面は図２及び図４に示すように突起部１１，２１が一体的に成形されている。【００１３】  また、実施例では、図５及び図６に代表的に示すように、立体フィギュア３，４が形成されているが、立体フィギュア３，４以外にも異なるキャラクターや人形や動物等を模した立体フィギュア（図示せず）が成形されている。【００１４】  立体フィギュア３は、顔面部３１、フィギュア胸部３３及びフィギュア頭部３４が一体的に形成されており、顔面部３１には凹部３２が形成されている。【００１５】  凹部３２には立体成形顔面体１の背面にある突出部１１を容易に嵌着することができ、また、同様に、立体フィギュア４は、顔面部４１、フィギュア胸部４３及びフィギュア頭部４４が一体的に形成されており、顔面部４１には凹部４２が形成され、凹部４２には立体成形顔面体２の背面にある突出部２１を容易に嵌着することができる。
立体フィギュア４は、顔面部４１、フィギュア胸部４３及びフィギュア頭部４４が一体的に形成されており、顔面部４１には凹部４２が形成されている。【００１６】  立体成形顔面体１の背面にある突出部１１を立体フィギュア３の顔面部３１に設けた凹部３２に嵌着すると、図７に示すような立体成形顔面体嵌着立体フィギュア３０が完成する。【００１７】  立体成形顔面体２の背面にある突出部２１を立体フィギュア４の顔面部４１に設けた凹部４２に嵌着すると、図８に示すような立体成形顔面体嵌着立体フィギュア４０が完成する。
【産業上の利用可能性】
【００１８】  以上、説明したように、本考案の立体成形顔面体可変着脱玩具によれば、表情の異なる立体成形顔面体は多数形成することができ、また、異なる形状からなる立体フィギュアも多数形成することができるので、これらを任意に組み合わせて迅速に交換して嵌着することができるので、イメージの異なる多数の立体成形顔面体嵌着立体フィギュアを作って遊ぶことができ、幼児や子供を楽しませることができ、製造コストも廉価であり、産業上の利用可能性は大なるものである。
【図面の簡単な説明】
【００１９】
【図１】立体成形顔面体の斜視図である。
【図２】図１の側面図である。
【図３】立体成形顔面体の斜視図である。
【図４】図３の側面図である。
【図５】立体フィギュアの部分斜視図である。
【図６】立体フィギュアの部分斜視図である。
【図７】立体成形顔面体を立体フィギュアに嵌着した斜視図である。
【図８】立体成形顔面体を立体フィギュアに嵌着した斜視図である。
【符号の説明】
【００２０】  １  立体成形顔面体
１１  突出部
２  立体成形顔面体
２１  突出部
３  立体フィギュア
３１  顔面部
３２  凹部
３３  フィギュア胸部
３４  フィギュア頭部
４  立体フィギュア
４１  顔面部
４２  凹部
４３  フィギュア胸部
４４  フィギュア頭部
３０  立体成形顔面体嵌着立体フィギュア
４０  立体成形顔面体嵌着立体フィギュア
【図１】
0003146475.tif 000003
【図２】
0003146475.tif 000004
【図３】
0003146475.tif 000005
【図４】
0003146475.tif 000006
【図５】
0003146475.tif 000007
【図８】
0003146475.tif 000008
【図７】
0003146475.tif 000009
【図８】
0003146475.tif 000010
【手続補正書】
【提出日】平成20年8月12日(2008.8.12)
【手続補正１】
【補正対象書類名】実用新案登録請求の範囲
【補正対象項目名】全文
【補正方法】変更
【補正の内容】
【実用新案登録請求の範囲】
【請求項１】
複数の立体成形顔面体がそれぞれ異なる表情を有し、彩色やタンポ印刷・シルク印刷・転写で印刷されていることを特徴とする立体成形顔面体可変着脱玩具。
【請求項２】
各立体成形顔面体の背面に凸部を一体的に形成し、該凸部に対応する立体フィギュアの前面に凹部を一体的に形成して、該凹部に対して該凸部を着脱自在に構成したことを特徴とする請求項１記載の立体成形顔面体可変着脱玩具。
【請求項３】
各立体成形顔面体を嵌着する立体フィギュアが、キャラクター、人形、動物を模して成形されていることを特徴とする請求項１記載の立体成形顔面体可変着脱玩具。
【請求項４】
複数の立体成形顔面体と複数の立体フィギュアをそれぞれ任意に選択して組み合わせ、着脱自在に構成したことを特徴とする請求項１記載の立体成形顔面体可変着脱玩具。
【手続補正２】
【補正対象書類名】図面
【補正対象項目名】全図
【補正方法】変更
【補正の内容】
【図１】
0003146475.tif 000011
【図２】
0003146475.tif 000012
【図３】
0003146475.tif 000013
【図４】
0003146475.tif 000014
【図５】
0003146475.tif 000015
【図６】
0003146475.tif 000016
【図７】
0003146475.tif 000017
【図８】
0003146475.tif 000018